(57)【特許請求の範囲】
【請求項１】
筐体側に付設されるケースに配置したフックと付勢部材及び制動手段を有した引込本体と、移動体側に付設されて筐体に対する移動体の移動途中で前記フックと係脱する突出部とを備え、前記フックが前記突出部との係合状態で移動体を移動可能にする引込姿勢と、係合解除状態で移動不能となる待機姿勢とに切り換えられる引込装置において、
前記制動手段は、シリンダ及びピストンロッドからなるピストンダンパからなり、前記シリンダ及びピストンロッドのいずれか一方を前記ケース側に固定し、他方を摺動可能に配置しかつ先端側に前記フックを回動可能に枢支しており、
前記フックは、前記ピストンロッドが前記シリンダに没して突出寸法を減じた状態で前記突出部と係合解除される前記待機姿勢となり、前記ピストンロッドが前記シリンダに対する突出寸法を増大するときに前記待機姿勢から前記引込姿勢に切り換えられるよう設けられている、ことを特徴とする引込装置。
【請求項２】
前記付勢部材は、圧縮ばねからなり、前記ピストンダンパに沿って配置されるとともに、一端が前記シリンダ及びピストンロッドのうち前記摺動可能に配置され側に係止され、他端が移動不能に係止されていることを特徴とする請求項１に記載の引込装置。
【請求項３】
前記圧縮ばねは、前記シリンダ及びピストンロッドのうち、摺動可能に配置された他方側の外周に配置されていることを特徴とする請求項２に記載の引込装置。
【請求項４】
前記シリンダ及びピストンロッドのうち、摺動可能に配置された他方側に連結されて前記ピストンダンパと略平行に配置したガイド軸を有しているとともに、前記圧縮ばねは前記ガイド軸の外周に配置されていることを特徴とする請求項２に記載の引込装置。
【請求項５】
前記シリンダ及びピストンロッドのうち、摺動可能に配置された他方側が前記ピストンロッドであり、前記ピストンロッドが同軸線上に接続された延長ロッドを有していることを特徴とする請求項３又は４に記載の引込装置。
【請求項６】
筐体に対する移動体の移動操作を付勢力により助ける引込装置に用いられる請求項１から５のいずれかに記載の引込本体。
【発明の詳細な説明】
【技術分野】
【０００１】
本発明は、筐体に対する移動体の移動操作を付勢力により助ける引込装置のうち、特に、制動手段により移動体の急速な移動を緩和したり制動可能にした引込装置及びそれに用いられる引込本体に関する。
【背景技術】
【０００２】
図１１は特許文献１に開示のものを示している。この引込構造は、筐体側ガイドレール１０に付設される引込本体（抽斗案内具）と移動体側可動レール２０に付設される突出部（突出片）２１とを備えている。引込本体は、ケーシング４０、ケーシング４０に配置されたフック（受け具）５０と付勢ばね６０及びショクアブソーバ３０を有している。ショクアブソーバ３０は制動手段であり、ケーシング４０に固定されたシリンダ及びピストンロッド３３からなる。ケーシング４０は、突出部２１を内側に導入可能であるとともにガイド溝４１を形成している。ガイド溝４１は、直線溝４１ａ及び直線溝の端部を屈曲した係止溝４１ｂからなる。フック５０は、ガイド溝４１に嵌合する突起５１ａ，５１ｂと、突出部２１と係脱する凹部５２と、結合部５３とを有し、結合部５３がピストンロッド３３の先端に回動可能に枢支されている。付勢ばね６０は引張りばねで、一端がフック５０の対応部に係止され、他端が不動状態に係止されている。
【０００３】
以上の構造では、移動体の閉操作によって同（ｂ）のごとく突出部２１を引込本体のフック５０へ向けて移動させる。すると、突出部２１は、凹部５２の後側と当たってフック５０の逆時計回り方向への回動を伴って凹部５２と係合する。フック５０は、その回動により突起５１ｂが係止溝４１ｂから係合解除して直線溝４１ａと嵌合し、待機姿勢から引込姿勢に切り換えられる。この構造では、フック５０が引込姿勢になると、移動体側の突出部２１と係合した状態で、同（ｃ）のごとく付勢ばね６０の付勢力によりケーシング４０の後側つまり移動体を閉方向へ摺動し移動体を引き込む。また、この状態から、移動体の開操作によって、突出部２１がフック５０と共にケーシング４０の前側へ摺動され、付勢ばね６０に付勢力を蓄積する。移動体が更に開操作されると、フック５０は、突起５１ｂが直線溝４１ａから係止溝４１ｂへ移行されて係合し同（ｂ）の待機姿勢に切り換えられる。
【０００４】
なお、特許文献２の引込構造は、特許文献１の構造に対し、引込本体が移動体側に付設されるとともに、移動体の移動途中で引込本体のフック（枢動レバー）と係脱する突出部（突起）が筐体の収納空間側に付設されている。
【先行技術文献】
【特許文献】
【０００５】
【特許文献１】特開２００５−２３０４６８号公報
【特許文献２】特開平６−３３９４１４号公報
【発明の概要】
【発明が解決しようとする課題】
【０００６】
以上の各引込構造では、例えば、移動体が閉操作されるときに、途中から付勢ばねの付勢力により最終の閉位置まで移動されるため移動体の不完全な閉状態の発生を確実に解消できる。また、特許文献１の引込構造では、特許文献２に比べ制動手段により移動体の急速な移動を抑えて高級感を付与でき、しかも引込本体が筐体の収納空間に付設されているため移動体を引き出した状態でも外観を維持でき損傷も起きに難い。換言すると、特許文献２の引込本体では、付勢ばねとして圧縮ばねを用いているが、移動体の側面に付設されているため見栄えを損ない易く、移動体の移動速度を制動するにはピストンダンパなどを別途に組み込まなくてはならず、突出部（突起）が筐体内の出入口と近い箇所に設けられるため移動体を外して掃除などする場合に邪魔となる。
【０００７】
ところで、この種の引込本体は、付勢力による引込量を維持して軽薄短小化が要求されると同時に、筐体の収納空間も極力小さく抑えたい。しかしながら、特許文献１の引込構造では、図１１（ｃ）のごとくピストンロッドがシリンダに没して突出寸法を減じた状態でフックが引込姿勢を維持して引き込みを完了し、同（ｂ）のごとくピストンロッドが移動体の開方向への移動により付勢ばねに付勢力を蓄積し、フックが突出部と係合解除されて待機姿勢に切り換えられる。このため、この引込構造では、突出部が移動体の背面に付設された例で説明すると、移動体が図１１（ｃ）のごとくフック及び付勢ばねにより最終まで引き込まれた状態で、筐体の収納空間としてはフックの後方、つまり同図の左側にフックとケーシングの後端（同図の左側）との間の寸法分だけ必要となり筐体の小型化が犠牲となる。また、突出部が引き出しの筐体に設けられる場合には、移動体である引き出し側面にフックを突出させる必要があり、物をそのフックに引っ掛けたり外観を損なうという問題があった。
【０００８】
そこで、本発明の目的は、移動体を途中から付勢力で引き込む引込装置として、特に、付勢部材と共に制動手段を具備する場合にも、付勢力による引込量を維持して軽薄短小化をより図り易くしたり筐体側収納空間も極力小さく抑え易くすることにある。
【課題を解決するための手段】
【０００９】
上記目的を達成するため本発明は、筐体側に付設されるケースに配置したフックと付勢部材及び制動手段を有した引込本体と、移動体側に付設されて筐体に対する移動体の移動途中で前記フックと係脱する突出部とを備え、前記フックが前記突出部との係合状態で移動体を移動可能にする引込姿勢と、係合解除状態で移動不能となる待機姿勢とに切り換えられる引込装置において、前記制動手段は、シリンダ及びピストンロッドからなるピストンダンパからなり、前記シリンダ及びピストンロッドのいずれか一方を前記ケース側に固定し、他方を摺動可能に配置しかつ先端側に前記フックを回動可能に枢支しており、前記フックは、前記ピストンロッドが前記シリンダに没して突出寸法を減じた状態で前記突出部と係合解除される前記待機姿勢となり、前記ピストンロッドが前記シリンダに対する突出寸法を増大するときに前記待機姿勢から前記引込姿勢に切り換えられるよう設けられていることを特徴としている。
【００１０】
以上の本発明において、ピストンダンパとは、シリンダ及びシリンダに対し油圧や空圧などにより出没的に突出寸法を可変するピストンロッドを有しているものであればよく、名称としてはショクアブソーバや油圧装置などと称されることもある。また、「前記シリンダ及びピストンロッドのいずれか一方を前記ケース側に固定し、他方を摺動可能に配置し」の特定は、例えば、各形態のごとくシリンダ側をケースに固定し、ピストンロッドを摺動可能に配置する構成に代え、ピストンロッド先端側をケース側に固定し、シリンダを摺動可能に配置する構成も含むことを明らかにしたものである。
【００１１】
なお、筐体としては、引出体用収納本体に限らず引戸用枠本体なども含まれる。移動体としては、引出体や引戸などであり、筐体の収納空間に対し閉と開方向とに移動される関係であればよい。引込本体及び突出部は、筐体と移動体とに対応して取り付けられて、筐体に対する移動体の所定の移動位置（例えば、移動体が引出体であれば、該引出体の押入途中）で係合して、付勢ばねに蓄積された付勢力により移動体を最終まで引込可能にする関係であればよい。
【００１２】
以上の本発明は次のように具体化されることがより好ましい。
（１）前記付勢部材は、圧縮ばねからなり、前記ピストンダンパに沿って配置されるとともに、一端が前記シリンダ及びピストンロッドのうち前記摺動可能に配置され側に係止され、他端が移動不能に係止されている構成である（請求項２）。ここで、圧縮ばねとは、コイルばねのうち、特に圧縮ないしは押される力に対して戻ろうとするバネ力を利用したタイプである。これには、コイル形状として通常の円筒形に限られず円すい形、つづみ形などのごとくコイル径を変化させたものも含む。
（２）前記圧縮ばねは、前記シリンダ及びピストンロッドのうち、摺動可能に配置された他方側の外周に配置されている構成である（請求項３）。
（３）前記シリンダ及びピストンロッドのうち、摺動可能に配置された他方側に連結されて前記ピストンダンパと略平行に配置したガイド軸を有しているとともに、前記圧縮ばねは前記ガイド軸の外周に配置されている構成である（請求項４）。
【００１３】
（４）前記シリンダ及びピストンロッドのうち、摺動可能に配置された他方側が前記ピストンロッドであり、前記ピストンロッドが同軸線上に接続された延長ロッドを有している構成である（請求項５）。
（５）上記引込装置を構成している引込本体を特定したもので、筐体に対する移動体の移動操作を付勢力により助ける引込装置に用いられる請求項１から５のいずれかに記載の引込本体である（請求項６）。
【発明の効果】
【００１４】
請求項１と６の各発明では次のような点で優れている。
（ア）各発明の引込本体は、引用文献２に比べて、引込本体が筐体側に付設されているため移動体を開方向へ移動した状態でも目視されず、引込本体が付勢部材と共に制動手段としてシリンダ及びピストンロッドからなるピストンダンパを有しているため引込速度を緩和したり制動して高級感を付与でき、しかもピストンダンパは一般的に細長いことからケース幅寸法を抑えて小型化を図り易い。これらは引用文献１と同様である。
（イ）各発明の引込本体は、フックがピストンロッドの没態様（突出寸法を設計で決められた最も減じた状態）で移動体側突出部と係合を解除する待機姿勢となり、ピストンロッドの突態様（突出寸法を設計で決められた最も増大した状態）で待機姿勢から移動体側突出部と係合して移動体を移動可能にする引込姿勢となる。このため、使用例としては、図１及び図２に例示されるごとく突出部を移動体の背面に付設した場合を想定すると、移動体が図１（ｂ）のごとく突出部と係合しているフック及び付勢部材により筐体の最終位置まで引き込まれた状態で、筐体の収納空間としてはフック又は突出部の後方に必要となるデットスペース、つまり図１（ｂ）の左ないしは手前にフックとケース後端との間の寸法分を小さくでき、それにより筐体の小型化を実現できる。なお、突出部を移動体の背面側に付設する場合は、引用文献１のように移動体又は移動体側可動レールの側面に設ける構成に比べて外観的に優れ、かつ邪魔になり難い。
（ウ）なお、各発明では、図１に例示されるごとく移動体の後方に突出部を設けることで、上記した従来のように移動体の引き出し時に物をその突出部に引っ掛けたり外観を損ねるというような虞を解消できる。
【００１５】
請求項２の発明では、付勢部材として圧縮ばねを用いることにより、請求項１のフックの作動を容易に実施可能となり、圧縮ばねがコイルばねの基本タイプの一つであることから安価に入手でき、しかもコイルばねであるため引込本体の軽薄化を維持できる。
【００１６】
請求項３の発明では、請求項２において、例えば、図５に例示されるごとく圧縮ばねをピストンダンバのピストンロッドの外周に配置すると、付勢部材用の配置スペースを最小化でき、それにより引込本体の軽薄小型化をより可能にし、用途拡大を期待できる。これは、上記したピストンロッド先端側をケース側に固定し、シリンダを摺動可能に配置する場合も同様である。
【００１７】
請求項４の発明では、請求項２において、例えば、図９に例示されるごとくピストンロッドが先端側に連結されてピストンダンパに略平行に配置したガイド軸を有し、圧縮ばねをそのガイド軸の外周に配置すると、付勢部材用の配置スペースを請求項３の構成よりも大きく必要となるが、作動を安定化したり組立も簡易化できる。これは、上記したピストンロッド先端側をケース側に固定し、シリンダを摺動可能に配置する場合も同様である。
【００１８】
請求項５の発明では、例えば、長さの異なる延長ロッドを多種用意しておき、用途や仕様に応じて最適な長さのものを継ぎ足すようにすることで設計自由度を拡大できる。
【図面の簡単な説明】
【００１９】
【図１】各形態の引込装置を使用状態で示し、（ａ）は引込前の状態を示す模式構成図、（ｂ）は引込後の状態で示す模式構成図である。
【図２】第１形態の引込装置の引込本体を示し、（ａ），（ｂ）は付勢力蓄積状態での一方側面と他方側面を示した側面図、（ｃ）は引込完了状態を示す他方側面図である。
【図３】（ａ）は図１のＡ部拡大図、（ｂ）は図１のＢ矢印方向から見た図である。
【図４】上記引込本体のケース単品を示し、（ａ）は上面図、（ｂ）は一方の側面図、（ｃ）は他方の側面図、（ｄ）は左端面図である。
【図５】上記引込本体を構成しているピストンダンパ及びフックと付勢部材を示し、（ａ）はフックの待機姿勢での側面図、（ｂ）は引込姿勢での側面図である。
【図６】（ａ）,（ｂ）は図５のＣ部を分解し異なる角度から見た模式分解図である。
【図７】第２形態の引込本体を示し、（ａ），（ｂ）は付勢力蓄積状態での一方側面と他方側面を示した側面図、（ｃ）は引込完了状態を示す他方側面図である。
【図８】図７の引込本体のケース単品を示し、（ａ）は上面図、（ｂ）は一方の側面図、（ｃ）は他方の側面図、（ｄ）は左端面図である。
【図９】図７の引込本体を構成しているピストンダンパ及びフックと付勢部材を示し、（ａ）はピストンロッドの没状態での側面図、（ｂ）は突出状態での側面図である。
【図１０】（ａ）は図９のＤ部を分解した模式分解図、（ｂ）は図９のＥ部を分解した模式分解図である。
【図１１】特許文献１の構成を示し、（ａ）は移動体側の可動レール及び筐体側のガイドレールの関係図、（ｂ）は引込本体がフックの待機姿勢となっている状態での模式図、（ｃ）は引込本体がフックの引込姿勢となっている状態での模式図である。
【発明を実施するための最良の形態】
【００２０】
本発明の形態例を図面を参照しながら説明する。図１〜図６は第１形態を示し、図７〜図１０は第２形態を示している。なお、各図では作図上一部を省略したり簡略化している。以下の説明では、各形態の装置特徴、第１形態の引込本体、第２形態の引込本体の順に詳述する。
【００２１】
（各形態の装置特徴）各形態の引込装置は、図１に例示したごとく、用途が引出体８を筐体側の収納空間に設けられたガイドレール９などに沿って出し入れする場合に用いられて、筐体側ガイドレール９又は収納空間に付設される引込本体６又は６Ａと、引出体８に付設される突出部としての被係合手段７とを備えている。ここで、図１において、符号８ａは引出体の後側部分を示し、８ｂは上面、８ｃは側面、８ｄは背面、８ｅは側面８ｃに添設されたガイドフレーム、８ｆはガイドフレーム８ｅに固定されてガイドレール９に沿って回転するローラである。ガイドレール９は、例えば、筐体の収納空間つまり収納空間を区画している内側面に対して水平状態に取り付けられている。このガイドレール９は、縦断面が略コ形状をなし、ローラ８ｆを内側長手方向に沿って回転しながら引出体８の開方向と閉方向との移動を案内する。この案内構造では、ガイドレール９が収納空間の両内側にそれぞれ付設されており、引出体８が両側に設けられたローラ８ｆの回転を伴って移動案内される。
【００２２】
引込本体６又は６Ａは、筐体側ガイドレール９又は収納空間の所定箇所に付設されるケース１又は１Ａと、前記ケースにそれぞれ配置されたフック２と制動手段としてピストンダンパ３と付勢部材としての圧縮ばね５を有している点、ピストンダンパ３はシリンダ３０及びピストンロッド３２のいずれか一方をケース１又は１Ａ側に固定し、他方を摺動可能に配置しかつ先端側にフック２を回動可能に枢支している点、フック２はピストンロッド３２がシリンダ３０に没して突出寸法を減じた状態で被係合手段７を構成している突出部材７ａと係合を解除した移動不能な待機姿勢となり、ピストンロッド３２がシリンダ３０に対する突出寸法を増大するときに前記待機姿勢から突出部材７ａと係合した状態で引出体８を移動可能にする引込姿勢に切り換えられる点で同じ。
【００２３】
これに対し、被係合手段７は、突出部材７ａが取付用ベース７ｂに対し不図示の保持部材及び付勢ばねなどを介して略水平状態を保って若干上下動可能に支持されている。この構造は、例えば特開２００９−２０３６２０号公報、特に図１３及び図１４のものと機構的に同じため、同公報の段落００３８〜００３９を参照されたい。以上の被係合手段７は、ベース７ｂが引出体の背面８ｄに不図示のねじなどで固定された状態で、突出部材７ａが対応する側面８ｃよりガイドレール９の下側つまり横方向へ突出配置される。勿論、被係合手段７又は突出部材７ａとしては、引込本体側のフック２と係脱すればよく、これ以外の構造でも差し支えない。
【００２４】
（第１形態の引込本体）この引込本体６は、図１〜図４に示されるように、ケース１に対しフック２及び圧縮ばね５をピストンダンパ３の対応部にそれぞれ付設した状態で各部材を一体ものとしてケース内に組み込んだ構成である。
【００２５】
ここで、ケース１は、図１の使用状態において、前後方向に細長くなっており、両側面１０，１１と、前後端面１２，１３と、上下面１４，１５とで内部空間１６を区画形成している。上面１４には位置決め片部１４ａが後側に突設されている。前後部には、取付孔１７ａ，１７ｂが両側面１０，１１を貫通した状態に設けられている。内部空間１６は、前後端面１２，１３を貫通しているとともに、後述するように各側面１０，１１に設けられた窓や凹所などと連通している。
【００２６】
一方の側面１０には、図４のごとく前後の略中間より前方向に延びている窓１０ｃと、窓１０ｃより下側に位置して前端から後端の少し手前まで直線状に切り欠いて突出部材７ａを内部空間１６の後側まで導入可能にする欠肉部１０ｂと、欠肉部１０ｂの後側部分を構成して突出部材７ａを移動案内する凹状のガイド溝１０ｄと、ガイド溝１０ｄの前側を下面側まで欠肉した下向き傾斜状の逃げ溝１０ｅと、ガイド溝１０ｄの後側を略Ｌ形状に欠肉した弾性付与用の逃げ溝１０ｆとが設けられている。符号１０ａは側面１０の内面である。この内面１０ａには、図４（ｂ）のごとく後述するガイド溝１９の前端に位置しかつ縦に長い凹状の係止部１０ｈと、後述する上下二段の直線状のガイド溝１８及びガイド溝１９と対向している凹状のガイド溝１８ａ及びガイド溝１９ａとが設けられている。係止部１０ｈはガイド溝１９ａに接続されている。
【００２７】
他方の側面１１には、前後の略中間より前端手前の箇所を欠肉したシリンダ収容用凹所１１ｂと、凹所１１ｂの上側を区画しているリブ１１ｅと、リブ１１ｅの上側及び側面１１の前後中間より少し後側の箇所を欠肉したピストンロッド等の収容用凹所１１ｃと、凹所１１ｃの後側から後端１３まで切り欠いた直線状のガイド溝１８と、凹所１１ｃの後端１１ｄの下側から後端１３まで切り欠いたガイド溝１８と平行になっているガイド溝１９とが設けられている。符号１１ｆは、凹所１１ｂの後側に設けられて凹所１１ｃに通じる入り口を縁取っている対のリブである。符号１１ｇは、凹所１１ｂの上下辺に対向して突設されているシリンダ抜け止め用の複数の係止爪である。凹所１１ｃの後端１１ｄは、上記係止部１０ｈと内部空間１６を介在して重なっており、ガイド溝１９の手前部分つまり下側が係止部１１ｈに設定されている。この係止部１１ｈは、後述するフック２の突起２４を係止部１０ｈとの間に係合規制する。なお、以上のケース１は単一構成の樹脂の射出成形体であるが、これに限られずケース本体及びカバーとして構成することもある。
【００２８】
ピストンダンパ３は、図５に示されるごとくシリンダ機構自体は公知のもの（特に引張り式のもの）であり、シリンダ３０及び該シリンダ３０に緩やかに出没されるピストンロッド３２からなる。符号３１はシリンダ３０の出入口に装着されたキャップである。この例は、ピストンロッド３２が固定されているシリンダ３０に対し緩やかに出没駆動する構成である。但し、構造としては、シリンダ３０が先端を固定したピストンロッド３２に対し緩やかに駆動する構成でもよい。また、この例では、延長ロッド３５がピストンロッド３２に接合され、該延長ロッド３５にフック２を回動可能に枢支している。
【００２９】
延長ロッド３５は、ピストンロッド３２の先端に不図示の螺合ないしは他の接合構造（例えば後述する図１０（ａ）の構造）により連結されているとともに、先端がＴ形の軸部３６に形成されている。その際には、圧縮ばね５がピストンロッド３２の外周に配置される。圧縮ばね５は、同一径のコイル巻きタイプであり、一端がシリンダ側キャップ３１に係止され、他端が延長ロッド３５の接合部に設けられたフランジ部３７に係止される。
【００３０】
フック２は、図６に示されるごとくガイド溝１８，１９に沿ってケースの内部空間１６を前後方向に摺動する大きさからなり、先端側に設けられて両側面２０，２１を貫通している係合孔２２と、一側面に設けられて後側から係合孔２２に通じている係合溝２３と、両側面２０，２１の後側にあって同軸線上に突設されている突起２４と、前端面に設けられて上記突出部材７ａを係脱する凹部２５とを有している。また、両側面２０，２１には、凹部２５を区画している前後部分に張出部２０ａ，２０ｂ及び２１ａ，２１ｂとが設けられている。係合溝２３は、係合孔２２を中心として形成され、かつ後側の溝幅が延長ロッド３５の径によりも幅広に形成されている。両側の突起２４は、図２（ｂ）,（ｃ）のごとく上記ケース側のガイド溝１９及びガイド溝１９ａに摺動自在に嵌合され、かつ係止部１１ｈ及び係止部１０ｈに位置規制されて係止される。
【００３１】
以上のフック２は、延長ロッド３５の先端軸側を係合溝２３に嵌合し、かつ先端の軸部３６を係合孔２２に係合することにより、延長ロッド３５に対して軸部３６を中心として所定角だけ回動可能に枢支される。この所定角とは、係合溝２３の溝幅にして設定され、図２（ｃ）のごとくフック２が突出部材７ａと係合した状態で移動体を移動可能にする引込姿勢と、同（ｂ）のごとく前記係合を解除した状態で移動不能となる待機姿勢とに切換可能な角度である。
【００３２】
また、ピストンダンパ３は、以上のようにして圧縮ばね５、延長ロッド３５、フック２を組み付けた状態からケース１に組み込まれるが、組立手順はそれに限られず任意である。図２の組立状態において、シリンダ３０は凹所１１ｂに配置された状態で複数の係止爪１１ｇで抜け止め処理される。ピストンロッド３２及び圧縮ばね５は凹所１１ｃから後方側の内部空間１６に向かって突出可能となる。延長ロッドの軸部３６は、フック２の係合孔２２から突出した両端が対応するガイド溝１８，１８ａに摺動自在に嵌合される。フック２は、両側面の各突起２４が図２（ｃ）のごとく上記ケース側の対応するガイド溝１９,１９ａに摺動自在に嵌合される引込姿勢と、図２（ｂ）のごとく係止部１１ｈ及び係止部１０ｈに係合されて不動状態に係止される待機姿勢とに切換可能に組み込まれる。
【００３３】
（使用例）図１は以上の引込装置を引出体８の引き込みに適用した一例である。この配置では、引込本体６が筐体の収納部内に配設されたガイドレール９に装着されると共に、上記した被係合手段７が引出体８の背面８ｄに取り付けられている。この場合、引込本体６はガイドレール９の後側に固着される。被係合手段７の取付ベース７ｂは、突出部材７ａが引込本体６の欠肉部１０ｂのライン及びガイド溝１０ｄに沿って移動されるようにして、引出体の側面８ｃから突出するよう位置決めされる。なお、通常、引込本体６及び被係合手段７は、引出体８を２組使用して引き込む構成となり、もう一方は図１に対し左右対称形となる。
【００３４】
（作動）以上の引込装置の作動を図１及び図２並びに図５を参照しながら詳述する。
（１）まず、引込本体６の作動特徴は、圧縮ばね５が図２（ｂ）のごとく付勢力を蓄積した付勢力蓄積状態でフック２が待機姿勢となり、同（ｃ）のごとく付勢力を解放した付勢力解放状態でフック２が引込姿勢となる。付勢力蓄積状態において、ピストンロッド３２はシリンダ３０に没して突出量を設計で決められた最小まで減じており、フック２が待機姿勢に切り換えられることでその状態が維持される。そして、この構造では、前記付勢力蓄積状態において、引出体８を閉方向つまりガイドレール９の後方側へ移動操作すると、突出部材７ａも引込本体６の欠肉部１０ｂ及びガイド溝１０ｄに沿って移動し、フック側凹部２５を区画している後側に当接する。すると、フック２は、その応力により軸部３６を支点として逆時計回りの方向へ回動され、その回動によって両側の突起２４が係止部１１ｈ及び係止部１０ｈとの係合を解除し、同時に凹部２５に突出部材７ａを拘束した状態で圧縮ばね５の付勢力によりガイド溝１９,１９ａに沿って後方へ移動される。引出体８はその移動により完全に押し込まれた閉状態に保持される。
【００３５】
（２）引出体８を再び引き出す場合は、図１及び図２の各（ｂ）の状態から引出体８を開方向へ移動操作する。すると、この引込装置では、フック２が凹部２５に突出部材７ａを係合し拘束した引込姿勢で、各突起２４が対応するガイド溝１９,１９ａに沿って、軸部３６の両端が対応するガイド溝１８，１８ａに沿って摺動する。この摺動過程では、ピストンロッド３２がシリンダ３０に没して突出量を減じ、圧縮ばね５が圧縮されて付勢力を蓄積する。その後、フック２は、図２（ｂ）のごとく各突起２４がガイド溝１９，１９ａから係止部１１ｈ，１１ｈに達すると、フック２が突出部材７ａから受ける応力により軸部３６を支点として時計回りの方向へ回動し、引込姿勢から、突起２４が係止部１１ｈ及び係止部１０ｈと係合して移動不能となる待機姿勢に切り換えられる。
【００３６】
（３）従って、以上の引込装置では、図１のような使用例だと、引出体８が同（ｂ）のごとく突出部材７ａと係合しているフック２及び圧縮ばね５により筐体側収納空間の最後方側まで引き込まれるように設定でき、筐体の収納空間としてフック２又は突出部材７ａの後方に必要となる空間を小さくでき、それにより筐体の小型化ないしは収納空間の容量を抑えることができる。また、引込本体６としては、ケース１、フック２、ピストンダンパ３、圧縮ばね５、必要に応じて用いられる延長ロッド４にて構成されるため、簡易であり、安価に実施できる点、付勢部材としてコイルばねである圧縮ばね５を用いるとともに、圧縮ばね５をピストンダンバのピストンロッド３２の外周に配置したことにより、付勢部材用の配置スペースを最小化できる点で優れている。
【００３７】
（第２形態の引込本体）図７から図１０は第２形態の引込本体を示している。この説明では、上記第１形態と同一部材及び作用的に同じ部位に同じ符号を付し、変更した構成だけを明らかにして重複した記載を極力省く。すなわち、第２形態では、第１形態に対し延長ロッド４及び圧縮ばね５の配置構成が変更されるとともに、ケース１Ａがその変更に応じて幅寸法が少し大きく形成されている。
【００３８】
この延長ロッド４は、連結部４０を有してピストンロッド３２の先端に係合構造により連結されている第１ロッド４１と、連結部４０に立設されて第１ロッド４１と同軸線上に延びるとともに、先端をＴ形の軸部４６に形成している第２ロッド４５と、連結部４０に一端が連結されて前記第１ロッド４１と略平行に延びている支持ロッド４７とを一体的に備えている。
【００３９】
第１ロッド４１は、図１０（ａ）のごとく基端側に雌型の係合受け部４２を有し、係合受け部４２がピストンロッド３２の先端に設けられた雄型の係合軸部３３と係合により連結される。係合受け部４２は、凹部４３及び凹部４３に連通している先端側の連通部４３ａ並びに連通部４３ａの上両内端面に突設された抜け止め用爪４４とからなる。これに対し、ピストンロッド３２の先端側は、ロッド先端に径小な首部３３と径大な突起部３４とを順に形成している。そして、ピストンロッド３２は、係合受け部４２に対し、突起部３４が凹部４３に係合し、かつ、首部３３が連通部４３ａに爪４４を介して抜け止め係止された状態で連結される。
【００４０】
第２ロッド４５は、第１形態の延長ロッド３５と同じく、先端がＴ形の軸部４６に形成されている。そして、フック２は、第１形態と同様に延長ロッド４５の先端軸側を係合溝２３に嵌合し、かつ先端の軸部４６を係合孔２２に係合することにより、延長ロッド４５に対して軸部４６を中心として所定角だけ回動可能に枢支される。
【００４１】
一方、ケース１Ａは、上記ケース１に比べて凹所１１ｂの上側を区画しているリブ１１ｅと凹所１１ｃのうちリブ１１ｅの上側縁との間のスペース１１ｉが広く確保されている点と、スペース１１ｉに設けられた抜け止め用逆凹状部１１ｊ及び対向しているガイド突起１１ｋを有している。なお、図８（ｂ）において、符号１０ｊは、ケース１Ａの側面１０に開口された凹状部１１ｊを形成する型抜き用穴１０ｊである。そして、上記延長ロッド４の支持ロッド４７は、スペース１１ｉから凹所１１ｃの右側に配置されており、圧縮ばね５が図７（ｂ）のごとく付勢力を蓄積した付勢力蓄積状態（フック２の待機姿勢）から、同（ｃ）のごとく付勢力を解放した付勢力解放状態（フック２の引込姿勢）になると、延長ロッド４と共に凹所１１ｃから内部空間１６に向かって移動されることになる。
【００４２】
なお、本発明の引込装置及び引込本体は、請求項で特定される構成を実質的に備えておればよく、細部は各形態を参考にして更に変更したり展開可能なものである。一例としては、延長ロッドを省略してフックをピストンロッド先端側に枢支することである。
【符号の説明】
【００４３】
１，１Ａ…ケース（１０，１１は側面、１４，１５は上下面）
２…フック（２３は連結溝、２２は係合孔、２５は凹部、２４は突部）
３…ピストンダンパ（３０はシリンダ、３２はピストンロッド、３５は延長ロッド）
４…延長ロッド（４１は第１ロッド、４５は第２ロッド、４７は支持ロッド）
５…圧縮ばね（付勢部材）
６，６Ａ…引込本体
７…被係合手段（７ｂは取付用ベース、７ａは突出部に相当する突出部材）
８…引出体（移動体に相当し、８ａは後部、８ｂは上面、８ｃは側面、８ｄは背面）
９…ガイドレール（筐体の収納空間に付設されている）
１０ｈ，１１ｈ…係止部
１８，１８ａ…ガイド溝
１９，１９ａ…ガイド溝
【図１】
0005632645.tif 000002
【図２】
0005632645.tif 000003
【図３】
0005632645.tif 000004
【図４】
0005632645.tif 000005
【図５】
0005632645.tif 000006
【図６】
0005632645.tif 000007
【図７】
0005632645.tif 000008
【図８】
0005632645.tif 000009
【図９】
0005632645.tif 000010
【図１０】
0005632645.tif 000011
【図１１】
0005632645.tif 000012